(57)【要約】      （修正有）【課題】左右の躯体の通路間に直交以外の傾斜面となる目地部が設けられていても、左右の躯体の異なる前後方向の揺れ動きが生じても、その揺れ動きを安全に吸収することができる床用目地装置を提供する。【解決手段】床用目地装置は、一方の躯体に形成された目地プレートスライド支持部と、他方の躯体にほぼ水平に設けられたスライドレールと、このスライドレールにスライド移動可能に支持された可動目地プレートと、後端部が他方の躯体の通路に支持された摺動目地プレートと、摺動目地プレートの後端部をスライド移動可能に覆う後部カバープレートと、可動目地プレートおよび摺動目地プレートの先端部をスライド移動可能に覆う前部カバープレートと、摺動目地プレートの移動手段を常時前記他方の躯体の通路の目地部側の角部に当接するように付勢する付勢スプリングとで床用目地装置を構成している。【選択図】図１
2010203135.tif 000002
【特許請求の範囲】
【請求項１】
左右の躯体の通路の間に直交以外の傾斜面となる目地部が設けられた部位の床用目地装置において、この床用目地装置を前記左右の躯体の一方の躯体の通路の目地部側部位に形成された目地プレートスライド支持部と、この目地プレートスライド支持部と対応する他方の躯体の通路の目地部側部位にほぼ水平に設けられたスライドレールと、このスライドレールに後端部がスライド移動可能に支持され、先端部が前記目地プレートスライド支持部のほぼ中央部に位置するようにスライド移動可能に支持された前記通路の一端部を除く部位を覆う可動目地プレートと、この可動目地プレートの一端部にスライド移動可能に取付けられた、前記通路の一端部側を覆う前記他方の躯体の通路の目地部側の角部あるいは、該部位に設けられたローラの押し圧で前方へ移動される移動手段を設けた後端部が他方の躯体の通路に支持された摺動目地プレートと、前記他方の躯体の目地部側通路に固定された前記摺動目地プレートの後端部をスライド移動可能に覆う後部カバープレートと、前記一方の躯体の目地部側通路に固定された前記可動目地プレートおよび摺動目地プレートの先端部をスライド移動可能に覆う前部カバープレートと、前記摺動目地プレートの移動手段を常時前記他方の躯体の通路の目地部側の角部あるいは、該部位に設けられたローラに当接するように付勢する付勢スプリングとで構成したことを特徴とする床用目地装置。
【請求項２】
可動目地プレートは左右方向にスライド移動可能に、少なくとも２個以上接続したものを用いるとともに、摺動目地プレートも可動目地プレートも端部に左右方向にスライド移動可能に接続され、後端部に端部側よりも内側が後方へ傾斜面で突出する移動手段が形成されていることを特徴とする請求項１記載の床用目地装置。
【請求項３】
目地プレートスライド支持部は可動目地プレートおよび摺動目地プレートの先端部がスライド移動可能に入る凹部状に形成され、後部カバープレートで覆われる他方の床躯体の目地部側通路部分に摺動目地プレートの後端部が入る摺動目地プレートスライド凹部が形成されていることを特徴とする請求項１記載の床用目地装置。
【発明の詳細な説明】
【技術分野】
【０００１】
本発明は左右の躯体に設けられた通路を、目地部を介して接続する床用目地装置に関する。
【背景技術】
【０００２】
従来、この種の床用目地装置は左右の躯体の通路に対し、直交するように形成された目地部を覆うように取付けられている。
【０００３】
しかしながら、左右の躯体の通路間に、直交以外の傾斜面となる目地部に床用目地装置を設ける必要が生じた。  
この場合、いままでの構成の床用目地装置を用いると、異なる左右方向の揺れ動きは吸収することができるが、異なる前後方向の揺れ動き時には通路の側壁を損傷させたり、目地プレートを損傷させる等の不具合が生じ、使用することができないという欠点があった。
【先行技術文献】
【特許文献】
【０００４】
【特許文献１】特開２００６−１６１３８６
【発明の概要】
【発明が解決しようとする課題】
【０００５】
本発明は以上のような従来の欠点に鑑み、左右の躯体の通路間に直交以外の傾斜面となる目地部が設けられていても、左右の躯体の異なる前後方向の揺れ動きが生じても損傷することなく、その揺れ動きを安全に吸収することができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は左右の躯体の通路の間に直交以外の傾斜面となる目地部が設けられた部位の床用目地装置において、この床用目地装置を前記左右の躯体の一方の躯体の通路の目地部側部位に形成された目地プレートスライド支持部と、この目地プレートスライド支持部と対応する他方の躯体の通路の目地部側部位にほぼ水平に設けられたスライドレールと、このスライドレールに後端部がスライド移動可能に支持され、先端部が前記目地プレートスライド支持部のほぼ中央部に位置するようにスライド移動可能に支持された前記通路の一端部を除く部位を覆う可動目地プレートと、この可動目地プレートの一端部にスライド移動可能に取付けられた、前記通路の一端部側を覆う前記他方の躯体の通路の目地部側の角部あるいは、該部位に設けられたローラの押し圧で前方へ移動される移動手段を設けた後端部が他方の躯体の通路に支持された摺動目地プレートと、前記他方の躯体の目地部側通路に固定された前記摺動目地プレートの後端部をスライド移動可能に覆う後部カバープレートと、前記一方の躯体の目地部側通路に固定された前記可動目地プレートおよび摺動目地プレートの先端部をスライド移動可能に覆う前部カバープレートと、前記摺動目地プレートの移動手段を常時前記他方の躯体の通路の目地部側の角部あるいは、該部位に設けられたローラに当接するように付勢する付勢スプリングとで床用目地装置を構成している。
【発明の効果】
【０００８】
以上の説明から明らかなように、本発明にあっては次に列挙する効果が得られる。
【０００９】
（１）左右の躯体が地震等で異なる左右方向に揺れ動いた場合、可動目地プレートと摺動目地プレートの先端部が目地プレートスライド支持部をスライド移動して、その揺れ動きを吸収することができる。
また、左右の躯体が地震で異なる前後方向に揺れ動いた場合、摺動目地プレートの移動手段が他方の躯体の通路の目地部側の角部あるいは、該部位に設けられたローラの押し圧力で付勢スプリングの付勢力に抗して、前方へスライド移動するとともに、可動目地プレートがスライドレールに沿って前後方向にスライド移動して、その揺れ動きを吸収することができる。
【００１０】
（２）後部カバープレートおよび前部カバープレートで可動目地プレート、摺動目地プレートの前部を覆うとともに、摺動目地プレートの後部を覆っているのできれいに仕上げることができる。
【００１１】
（３）摺動目地プレートを他方の躯体の通路の目地部側の角部あるいは、該部位に設けられたローラの地震時の異なる前後方向の揺れ動きの押し圧力で前方へスライド移動させるので、構造が簡単で、スムーズに移動させることができる。
【００１２】
（４）請求項２も前記（１）〜（３）と同様な効果が得られる。
【００１３】
（５）請求項３も前記（１） 〜（３）と同様な効果が得られるとともに、左右の躯体の通路の床面とほぼ同じ床面となるように設置することができ、安全に使用することができる。
【図面の簡単な説明】
【００１４】
【図１】本発明を実施するための第１の形態の平面図。
【図２】図１の２−２線に沿う断面図。
【図３】図１の３−３線に沿う断面図。
【図４】本発明を実施するための第１の形態の目地部を示す説明図。
【図５】本発明を実施するための第１の形態の可動目地プレートの説明図。
【図６】本発明を実施するための第１の形態の摺動目地プレートの説明図。
【図７】本発明を実施するための第１の形態の異なる左右方向の動作説明図。
【図８】本発明を実施するための第１の形態の異なる前後方向の一方の動作説明図。
【図９】本発明を実施するための第１の形態の異なる前後方向の他方の動作説明図。
【図１０】本発明を実施するための第２の形態の平面図。
【図１１】図１０の１１−１１線に沿う断面図。
【図１２】図１０の１２−１２線に沿う断面図。
【図１３】本発明を実施するための第３の形態の平面図。
【図１４】図１３の１４−１４線に沿う断面図。
【図１５】図１３の１５−１５線に沿う断面図。
【図１６】本発明を実施するための第４の形態の平面図。
【図１７】図１６の１７−１７線に沿う断面図。
【図１８】図１６の１８−１８線に沿う断面図。
【発明を実施するための形態】
【００１５】
以下、図面に示す本発明を実施するための形態により、本発明を詳細に説明する。
【００１６】
図１ないし図９に示す本発明を実施するための第１の形態において、１は左右の躯体２、２の通路３、３間に直交以外の傾斜面となる目地部４を覆う本発明の床用目地装置で、この床用目地装置１は前記左右の躯体２、２の一方の躯体２の通路３の目地部側部位に形成された目地部４の幅寸法Ｌの約２倍の幅寸法の目地プレートスライド支持部としての凹部５と、この目地プレートスライド支持部としての凹部５と対応する他方の躯体２の通路３の目地部側部位にほぼ水平に設けられたスライドレール６と、このスライドレール６後端部がローラ７を介してスライド移動可能に支持され、先端部が前記目地プレートスライド支持部としての凹部５のほぼ中央部に位置するようにスライド移動可能に支持された、前記通路３の一端部を除く部位を覆う可動目地プレート８と、この可動目地プレート８の一端部にスライド移動可能に連結状態で取付けられた前記通路３の一端部側を覆う前記他方の躯体２の通路３の目地部側の角部に設けられたローラ９の押し圧で前方へ移動される移動手段１０を設けた後端部が他方の躯体２の通路３に形成された摺動目地プレートスライド凹部１１に支持された摺動目地プレート１２と、前記他方の躯体２の目地部側通路３に固定された前記摺動目地プレート１２の後端部および、前記可動目地プレート８の後端部をスライド移動可能に覆う後部カバープレート１３と、前記一方の躯体２の目地部側通路３に固定された前記可動目地プレート８および摺動目地プレート１２の先端部をスライド移動可能に覆う前部カバープレート１４と、前記摺動目地プレート１２の移動手段１０を常時前記摺動目地プレートスライド凹部１１内に位置して、前記ローラ９に当接するように付勢する付勢スプリング１５とで構成されている。
【００１７】
前記可動目地プレート８は金属材製の可動目地プレート本体１６と、この可動目地プレート本体１６の摺動目地プレート１２と接続される端部に形成された係止部１７と、前記可動目地プレート本体１６の後部底面に固定されたスライドレール６にローラ７を介してスライド移動可能に取付けられる取付片１８とで構成されている。
【００１８】
前記摺動目地プレート１２は金属材製の摺動目地プレート本体１９と、この摺動目地プレート本体１９の後端部に一体形成された、後端部よりも内側が後方へ傾斜する傾斜面２０に形成した移動手段１０と、前記摺動目地プレート本体１９の前記可動目地プレート８側に形成された、該可動目地プレート８の係止部１７とスライド移動可能に係止する係止部２１とで構成されている。
【００１９】
上記構成の床用目地装置１は、通常時には目地部４を可動目地プレート８および、この可動目地プレート８に並列接続された摺動目地プレート１２で覆い、これらの目地プレート８、１２の前後部はスライド移動可能に前部カバープレート１４および後部カバープレート１３で覆われている。
地震で左右の躯体２、２が異なる左右方向に揺れ動いた場合、図７に示すように、目地プレートスライド支持部としての凹部５内を可動目地プレート８と摺動目地プレート１２の先端部が左右方向にスライド移動して、その揺れ動きを吸収する。
地震で左右の躯体２、２が異なる前後方向に揺れ動いた場合には、図８に示すようにローラ９によって摺動目地プレート１２の移動手段１０の傾斜面２０を押し圧した状態となり、摺動目地プレート１２を前方へスライド移動させ、その揺れ動きを吸収するとともに、図９に示すように一方の躯体２の通路３の両側壁３ａ、３ａによって、可動目地プレート８と摺動目地プレート１２とが一体となっているため、可動目地プレート８がスライドレール６に沿って前後方向にスライド移動して、その揺れ動きを吸収することができる。
[発明を実施するための異なる形態]
【００２０】
次に、図１０ないし図１８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図１０ないし図１２に示す本発明を実施するための第２の形態において、前記本発明を実施するための第１の形態と主に異なる点は、ローラの代わりに摺動目地プレート１２の傾斜面２０の移動手段１０を押し圧する押し圧傾斜面２２を摺動目地プレートスライド凹部１１に設けた点で、このように構成した床用目地装置１Ａにしても、前記本発明を実施するための第１の形態と同様な作用効果が得られる。
【００２２】
図１３ないし図１５に示す本発明を実施するための第３の形態において、前記本発明を実施するための第１の形態と主に異なる点は、左右方向にスライド移動可能な複数個、本実施の形態では２個の目地プレート２３、２３を用いて構成した可動目地プレート８Ａを用いるとともに、該可動目地プレート８Ａの先端部および摺動目地プレート１２の先端部と後端部の底面に複数個のローラ２４を設けて、スムーズにスライド移動できるようにした点で、このように構成した床用目地装置１Ｂにしても、前記本発明を実施するための第１の形態と同様な作用効果が得られる。
【００２３】
図１６ないし図１８に示す本発明を実施するための第４の形態において、前記本発明を実施するための第１の形態と主に異なる点は、左右の躯体２、２の通路３、３の床面上に可動目地プレート８および摺動目地プレート１２をスライド可能に設置し、浅皿状の前部カバープレート１４Ａおよび後部カバープレート１３Ａで可動目地プレート８および摺動目地プレート１２の前後部をスライド可能に覆った点で、このように構成した床用目地装置１Ｃにしても、前記本発明を実施するための第１の形態と同様な作用効果が得られる。
【００２４】
なお、前記本発明の実施の形態の目地プレートスライド支持部としての凹部５や、摺動目地プレートスライド支持凹部１１を可動目地プレート８や摺動目地プレート１２が、スライド移動が容易にできる金属材製のカバーでカバーしてもよい。
【産業上の利用可能性】
【００２５】
本発明は左右の躯体の通路間に直交以外の傾斜面となる目地部を覆う床用目地装置を製造する産業で利用される。
【符号の説明】
【００２６】
１、１Ａ、１Ｂ、１Ｃ：床用目地装置、
２：躯体、                    ３：通路、
４：目地部、                  Ｌ：目地部の幅寸法、                              
５：目地プレートスライド支持部としての凹部、        
６：スライドレール、          ７：ローラ、
８、８Ａ：可動目地プレート、  ９：ローラ、
１０：移動手段、
１１：摺動目地プレートスライド凹部、
１２：摺動目地プレート、                        
１３、１３Ａ：後部カバープレート、
１４、１４Ａ：前部カバープレート、
１５：付勢スプリング、        １６：可動目地プレート本体、
１７：係止部、                １８：取付片、
１９：摺動目地プレート本体、  ２０：傾斜面、
２１：係止部、                ２２：押し圧傾斜面、
２３：目地プレート、          ２４：ローラ。
【図１】
2010203135.tif 000003
【図２】
2010203135.tif 000004
【図３】
2010203135.tif 000005
【図４】
2010203135.tif 000006
【図５】
2010203135.tif 000007
【図６】
2010203135.tif 000008
【図７】
2010203135.tif 000009
【図８】
2010203135.tif 000010
【図９】
2010203135.tif 000011
【図１０】
2010203135.tif 000012
【図１１】
2010203135.tif 000013
【図１２】
2010203135.tif 000014
【図１３】
2010203135.tif 000015
【図１４】
2010203135.tif 000016
【図１５】
2010203135.tif 000017
【図１６】
2010203135.tif 000018
【図１７】
2010203135.tif 000019
【図１８】
2010203135.tif 000020